【事件の表示】
　特願２００２−３１５３１５「画像加工方法および装置並びにプログラム」拒絶査定不服審判事件〔平成１６年　５月２７日出願公開、特開２００４−１５１２８４〕について、次のとおり審決する。
【結　論】
　本件審判の請求は、成り立たない。
【理　由】
第１　手続の経緯・本願発明 
　本願は、平成１４年１０月３０日の特許出願であって、平成１８年９月２５日付け（発送日：同年１０月３日）で拒絶査定がなされ、これに対して、同年１１月２日に拒絶査定に対する審判請求がなされたものであり、その請求項１ないし３に係る発明は、平成１８年９月６日に提出された手続補正書により補正された明細書及び図面の記載からみて、その特許請求の範囲の請求項１ないし３に記載された事項により特定されるとおりのものと認められるところ、その請求項１に係る発明（以下、「本願発明」という。）は次のとおりのものである。
　
　「【請求項１】　携帯端末装置における短辺および長辺を有する矩形の表示画面に表示すべく画像データを加工して加工済み画像データを取得する画像加工方法において、
　前記画像データにより表される画像を前記携帯端末装置の表示画面のアスペクト比に対応するアスペクト比を有する画面領域とともに表示し、
　前記画面領域の位置、該画面領域の長辺の方向および／またはサイズの変更の指定を受け付け、
　前記画像データにより表される画像から前記指定された画面領域に基づく領域を切り出すとともに、該切り出された領域内の画像の長辺が前記表示画面の長辺と一致するよう前記画像データを加工して前記加工済み画像データを取得することを特徴とする画像加工方法。」
　
第２　引用刊行物に記載された発明
　原査定の拒絶の理由に引用され、本願の出願前に頒布された刊行物である特開２００１−３４５８９６号公報（以下、「引用刊行物」という。）には、図面とともに以下の事項が記載されている。
　１　「【請求項９】  移動通信端末の待ち受け画面を作成する待ち受け画面作成方法であって、
前記移動通信端末の機種情報から、機種別パラメータデータベースに予め記録された該移動通信端末に対応する機種別パラメータを読み出す処理と、
待ち受け画面の元画像を外部から取り込む処理と、
取り込んだ待ち受け画面の元画像を、読み出した機種別パラメータに従い、機種別の待ち受け画面に対応した画像に変換して表示する処理と、
変換した待ち受け画面を、前記移動通信端末へ送信する処理と、
を含むことを特徴とする待ち受け画面作成方法。」
　
　２　「【０００１】
【発明の属する技術分野】本発明は、移動通信端末が待ち受け処理中に画面に表示する待ち受け画面を、移動通信端末の使用者が自分の好みに合わせて容易に作成できる待ち受け画面作成装置、方法、及びそのプログラムを記録した記録媒体に関する。」
　
　３　「【００２２】
【発明の実施の形態】以下、図面を参照して本発明の実施の形態について説明する。まず、図１と図２を用いて、本発明の第１の実施形態を説明する。図１は本発明の第１の実施形態の構成を説明するブロック図である。この図において、符号１は、本実施形態を説明する待ち受け画面作成装置である。符号２は、待ち受け画面作成装置１の作成した待ち受け画面を使用する、携帯電話やＰＨＳ（Personal Handyphone System）等の移動通信端末である。」
　
　４　「【００２６】次に、図２を参照して、待ち受け画面作成装置１の動作を説明する。図２は、図１に示す待ち受け画面作成装置１の動作を説明するフローチャートである。・・・・・画像抽出処理部１１は、画像取得装置３から画像を取り込む（ステップＳ２）。ここで取り込む画像は、画像取得装置３がスキャナであれば、待ち受け画面作成装置の利用者が用意した写真等の画像であり、また、画像取得装置３がカメラであれば、待ち受け画面作成装置１の前に立つ利用者の姿を撮影した画像である。次に、画像抽出処理部１１は、画像取得装置３から取得した画像を表示する（ステップＳ３）。」
　
　５　「【００２７】次に、機種別のパラメータが判明したら、画像抽出処理部１１は、取り込んだ画像から、待ち受け画面にする好きな画像部分を、利用者にフレーミングして取り出させる（ステップＳ７）。・・・・・フレーミングして取り出した画像をそのままを待ち受け画面の元画像にしても良い。待ち受け画面にする元画像が完成したら、画像抽出処理部１１は、待ち受け画面へ加工前の画像を表示する（ステップＳ９）。・・・・・画像変換処理部１４は、ステップＳ６で取得した機種別パラメータに基づいて、元画像から待ち受け画面への加工方法をいくつか決定する（ステップＳ１１）。元画像から待ち受け画面への変換には、利用者が使用している移動通信端末２の機種別パラメータで決定される画素数と色数や色の階調数の減少（画像の圧縮）が必要となる。・・・・・画像変換処理部１４では、これらの加工方法を予め複数記憶させておき、ステップＳ１１において、元画像を待ち受け画面へ変換する際に、元画像の画素数と色数や色の階調数から、利用者が使用している移動通信端末２の機種別パラメータで決定される画素数と色数や色の階調数への変化の度合い（画像の圧縮度）に適当と思われる加工方法を幾つか決定する。ここでは、例えば３個の加工方法を決定する。
【００２８】次に、画像変換処理部１４は、それらの加工方法によって変換した３個の加工後の画面を表示する（ステップＳ１２）。そして、利用者に、表示された３個の画面の中から、好みの画面を１個選択させる（ステップＳ１３）。画面が選択されたら、画像変換処理部１４は、利用者に、通信処理部１５を介して、変換した画像を待ち受け画面として移動通信端末２へ送信するかどうかを確認させる（ステップＳ１５）。もし、利用者が変換した画像を移動通信端末２へ送信するとした場合（ステップＳ１５のＹＥＳ）、画像変換処理部１４は、通信処理部１５を介して、変換した画像を待ち受け画面として移動通信端末２へ送信する（ステップＳ１６）。」
　
　・上記摘記事項１及び２から、移動通信端末の待ち受け画面を作成する待ち受け画面作成方法、上記摘記事項３から、移動通信端末は携帯電話を含むことが読み取れる。
　・上記摘記事項４から、画像取得装置から画像を取り込み、取り込んだ画像を表示することが読み取れる。
　・上記摘記事項５から、取り込んだ画像から、待ち受け画面にする好きな画像部分を、利用者にフレーミングして取り出させ、取り出した画像を待ち受け画面の元画像にすることが読み取れる。
　・上記摘記事項１及び５から、待ち受け画面の元画像を、機種別パラメータに従い適宜の加工方法により機種別の待ち受け画面に対応した画像に変換することが読み取れる。
　以上のことから、引用刊行物には、次の発明（以下、「引用発明」という。）が記載されているものと認められる。
　「携帯電話の待ち受け画面を作成する待ち受け画面作成方法において、
　画像取得装置から画像を取り込み、取り込んだ画像を表示し、
　取り込んだ画像から、待ち受け画面にする好きな画像部分を、利用者にフレーミングして取り出させ、取り出した画像を待ち受け画面の元画像にし、
　前記待ち受け画面の元画像を、機種別パラメータに従い適宜の加工方法により機種別の待ち受け画面に対応した画像に変換することを特徴とする待ち受け画面作成方法。」
　
第３　対比・判断　　
　１　本願発明と引用発明との対比
　（１）引用発明の「携帯電話」、「取り込んだ画像」、「取り込んだ画像を表示し」、「取り込んだ画像から、待ち受け画面にする好きな画像部分を、利用者にフレーミングして取り出させ」は、それぞれ、本願発明の「携帯端末装置」、「画像データ」、「画像データにより表される画像を表示し」、「画像データにより表される画像から指定された領域を切り出す」に相当する。
　（２）引用発明の「待ち受け画面」は、「取り込んだ画像」から「取り出した」「元画像」を、「機種別パラメータに従い適宜の加工方法により機種別の待ち受け画面に対応した画像に変換する」ことにより得られるものであるから、引用発明の「待ち受け画面」は、本願発明の「加工済み画像データ」に相当し、引用発明は、本願発明と同様に、「画像データを加工して加工済み画像データを取得する」ものである。
　（３）携帯電話は、通常、短辺および長辺を有する矩形の表示画面を有するものであり、また、上記相当関係を勘案すると、引用発明の「携帯電話の待ち受け画面を作成する」は、本願発明の「携帯端末装置における短辺および長辺を有する矩形の表示画面に表示すべく画像データを加工して加工済み画像データを取得する」に相当する。
　また、引用発明の「待ち受け画面作成方法」は、本願発明の「画像加工方法」に相当する。
　
　したがって、本願発明と引用発明とは、次の一致点で一致し、次の相違点１及び２で相違する。
　一致点　「携帯端末装置における短辺および長辺を有する矩形の表示画面に表示すべく画像データを加工して加工済み画像データを取得する画像加工方法において、
　前記画像データにより表される画像を表示し、
　前記画像データにより表される画像から指定された領域を切り出し、前記画像データを加工して前記加工済み画像データを取得することを特徴とする画像加工方法。」
　
　相違点１　画像データにより表される画像から指定された領域を切り出す点に関して、本願発明が、画像データにより表される画像を携帯端末装置の表示画面のアスペクト比に対応するアスペクト比を有する画面領域とともに表示し、前記画面領域の位置、該画面領域の長辺の方向および／またはサイズの変更の指定を受け付け、指定された画面領域に基づく領域を切り出すのに対し、引用発明は、取り込んだ画像を表示し、その画像から好きな画像部分を利用者にフレーミングして取り出させるものの、その詳細については不明である点。
　相違点２　画像データの加工に関して、本願発明が、切り出された領域内の画像の長辺が前記表示画面の長辺と一致するよう加工するのに対し、引用発明は、そのような加工プロセスを具備しない点。
　
　２　判断
　上記相違点１及び２について検討する。
　（１）相違点１について
　画像データにより表される画像から指定された領域の画像を切り出すに当たり、画像データにより表される画像を、切り出す領域に対応するアスペクト比を有する枠とともに表示し、該枠を相似形で拡大、縮小させ、また、任意の場所に移動させるようにして、切り出す領域を指定するようにすることは、例えば、特開平４−３０１９６４号公報（特に、段落【００２１】、【００２２】の記載参照。）にみられるように当業者にとっては技術常識にすぎないから、引用発明において、画像から好きな画像部分を利用者にフレーミングして取り出させるために上記相違点１に係る本願発明のごとく構成することは当業者が適宜なし得た設計的事項である。
　（２）相違点２について
　画像の表示において、画像の縦横関係と表示画面の縦横関係が合致するように画像を回転処理することは、例えば、特開２００２−１０８７５７号公報（特に、段落【００１８】、【００１９】、【００５１】の記載参照。）に示されるように周知技術であるから、該周知技術を引用発明に適用して、上記相違点２に係る本願発明のごとく構成することは当業者が容易になし得たことである。
　
　そして、本願発明の奏する効果は、引用発明及び周知技術から当業者が予測し得る範囲内のものであり、格別のものではない。
　よって、本願発明は、引用発明及び周知技術に基づいて当業者が容易に発明をすることができたものである。
　
第４　むすび
　以上のとおりであるから、本願発明は、特許法第２９条第２項の規定により特許を受けることができないものである。
　そして、本願発明（請求項１に係る発明）が特許を受けることができないものであるから、その余の請求項２、３に係る発明について検討するまでもなく、本願は、拒絶すべきものである。
　よって、結論のとおり審決する。